(57)【要約】      （修正有）【課題】平行２回線構成の送電線などにおける各相遮断器の遮断時間の不揃いを解析用オシロ装置で負荷電流を測定することなく検出できる遮断時間不揃い検出装置を提供する。【解決手段】オシロ装置３０は、零相電流Ｉ0と赤相、白相および青相電圧ＶA，ＶB，ＶCとに基づいて赤相、白相および青相遮断器のうちのいずれの遮断器が開放されたかを判定するための開放遮断器判定部３１と、開放遮断器判定部３１における判定結果、零相電流Ｉ0およびトリップ信号Ｔに基づいて赤相、白相および青相遮断器の遮断時間を測定するための遮断時間測定部３２と、遮断時間測定部３２によって測定された赤相、白相および青相遮断器の遮断時間に基づいて赤相、白相および青相遮断器の遮断時間に不揃いが生じたか否かを判定するための遮断時間不揃い判定部３３とを備える。【選択図】図２
2013074774.tif 000002
【特許請求の範囲】
【請求項１】
電力系統の事故発生時の解析を行うための解析用オシロ装置（３０）を用いて、３相送電線（１Ｌ）の第１乃至第３の相にそれぞれ設けられている第１乃至第３の遮断器（２A，２B，２C）の遮断時間の不揃いを検出するための遮断時間不揃い検出装置であって、
前記解析用オシロ装置が、前記３相送電線に設置された残留回路（３）に取り付けられたクランプメータ（１０）によって検出された該残留回路を流れる零相電流（Ｉ0）と、所内電源（２０）から入力される該３相送電線の第１乃至第３の相電圧（ＶA，ＶB，ＶC）と、前記第１乃至第３の遮断器を開放するためのトリップ信号（Ｔ）とに基づいて、該第１乃至第３の遮断器の遮断時間の不揃いが生じたか否かを判定する遮断時間不揃い判定手段を備える、
ことを特徴とする、遮断時間不揃い検出装置。
【請求項２】
前記遮断時間不揃い判定手段が、
前記零相電流および前記第１乃至第３の相電圧に基づいて前記第１乃至第３の遮断器のうちのいずれの遮断器が開放されたかを判定するための開放遮断器判定部（３１）と、
該開放遮断器判定部の開放遮断器判定結果、前記零相電流および前記トリップ信号に基づいて前記第１乃至第３の遮断器の遮断時間を測定するための遮断時間測定部（３２）と、
該遮断時間測定部によって測定された前記第１乃至第３の遮断器の遮断時間に基づいて該第１乃至第３の遮断器の遮断時間に不揃いが生じたか否かを判定するための遮断時間不揃い判定部（３３）と、
を備えることを特徴とする、請求項１記載の遮断時間不揃い検出装置。
【請求項３】
前記開放遮断器判定部が、前記零相電流が発生すると、前記第１乃至第３の相電圧のうち該零相電流の極性と反対の極性の相電圧を検出し、前記第１乃至第３の遮断器のうち該検出した相電圧の相の遮断器が開放したと判定し、該開放したと判定した遮断器である第１の開放相遮断器を示す前記開放遮断器判定結果を前記遮断時間測定部に出力し、
前記遮断時間測定部が、前記零相電流が発生した時間を測定し、該測定した時間を前記開放遮断器判定部からの前記開放遮断器判定結果が示す前記第１の開放遮断器の遮断時間とする、
ことを特徴とする、請求項２記載の遮断時間不揃い検出装置。
【請求項４】
前記開放遮断器判定部が、前記零相電流が発生したのち正弦波形から不連続となり、かつ、該零相電流の波形が前記第１乃至第３の相電圧のいずれか１つの相電圧の波形と同じか相似になると、前記第１乃至第３の遮断器のうち前記第１の開放相遮断器および該零相電流の波形が同じか相似になった相電圧の相以外の相の遮断器が開放したと判定し、該開放したと判定した遮断器である第２の開放相遮断器を示す前記開放遮断器判定結果を前記遮断時間測定部に出力し、
前記遮断時間測定部が、前記零相電流が不連続になった時間を測定し、該測定した時間を前記開放遮断器判定部から入力される前記開放遮断器判定結果が示す前記第２の開放相遮断器の遮断時間とする、
ことを特徴とする、請求項３記載の遮断時間不揃い検出装置。
【請求項５】
前記開放遮断器判定部が、前記零相電流が正弦波形になったのち“０”になると、前記第１乃至第３の遮断器のうち残りの相の遮断器が開放したと判定し、該開放したと判定した遮断器である第３の開放相遮断器を示す前記開放遮断器判定結果を前記遮断時間測定部に出力し、
前記遮断時間測定部が、前記零相電流が“０”になった時間を測定し、該測定した時間を前記開放遮断器判定部から入力される前記開放遮断器判定結果が示す前記第３の開放相遮断器の遮断時間とする、
ことを特徴とする、請求項４記載の遮断時間不揃い検出装置。
【請求項６】
前記解析用オシロ装置が可搬式であることを特徴とする、請求項１乃至５いずれかに記載の遮断時間不揃い検出装置。
【発明の詳細な説明】
【技術分野】
【０００１】
本発明は、遮断された各相負荷電流が他所に流れる平行２回線構成の送電線やループ状態の送電線および配電線の各相に設けられている３個の遮断器の遮断時間の不揃いを電力系統の事故発生時に使用する解析用オシロ装置（可搬式の解析用オシロ装置も含む。）で検出するのに好適な遮断時間不揃い検出装置に関する。
【背景技術】
【０００２】
電力会社の発電所や変電所には解析用オシロ装置が設置されており、電力系統の事故発生時の解析を行うために用いられている。具体的には、電力系統に短絡や地絡などの異常が生じたときに解析用オシロ装置から出力される前後一定時間にわたる波形データを用いて事故原因の解析を行っている。
このような解析用オシロ装置は、事故発生時の事故信号をトリガとして起動する事故解析専用の装置として用いられているため、常時はほとんど活用されていなかった。すなわち、解析用オシロ装置は、事故発生時以外は動作しないため、事故原因を解析する場合には、事故後に事故時の前後一定時間にわたる波形データのみを用いるしかなく、たとえば、事故発生時以外の通常の波形データを出力して電力設備の異常などを推定するような方法として有効的に用いられていなかった。
【０００３】
また、電力系統の事故発生時に送電線を遮断させる遮断器は、事故が長期間（数年〜十数年）発生せず動作していない状態にあると、事故発生時などの動作時にその機構部が固着して動かなくなり易く、このような非常時のみに動作する遮断器などは、定期的に性能試験を実施してその性能を確認し、点検あるいは管理することが必要である。しかしながら、現状では、定期停電作業時において現地で管理者などが手動で遮断器の開閉試験を実施して、その性能を確認するような管理体制にあり、常用運転状態での定期的な点検あるいは管理がなされていなかった。
【０００４】
そこで、本出願人は、下記の特許文献１において、発電所や変電所に既設されている解析用オシロ装置を常時活用することで運転状態を継続したままで遮断器の性能および状態を定期的に管理できるように、遮断器の負荷電流を解析用オシロ装置で検出するとともに、解析用オシロ装置に遮断器への指令信号（遮断指令信号または投入指令信号）を入力し、負荷電流の変化により遮断器への指令信号の入力時から遮断器の動作完了までの時間を停電させることなく解析用オシロ装置で測定するようにした、遮断器の管理方法を提案している。
【０００５】
また、下記の特許文献２には、少なくとも放射状に配置された電力系統に設置された３相遮断器の不揃い時間や開閉管理時間を需要家側を停電することなく計測するために、充電電流だけが流れているときの３相遮断器を開放して記録された遮断前後を含む間の３相の充電電流瞬時値から３相の消弧時点を算出する消弧時点算出手段と、３相の消弧時点から３相不揃い時間を算出する不揃い時間算出手段とを有する三相遮断器特性計測装置が開示されている。
【０００６】
さらに、下記の特許文献３には、遮断器の不揃い投入または不揃い引き外しを電気的に検出するために、遮断器の各相を流れる電流を３個の変流器を介して３個の補助変流器で検出し、各相の検出電流の和を示す零相電流が設定値を超えたときに、各相の電流にアンバランスがある（すなわち、遮断器が不揃いで投入または引き外された）として、不揃い投入・引き外し検出器から不揃い検出信号を出力するようにした、遮断器の動作状態検出装置が開示されている。
【先行技術文献】
【特許文献】
【０００７】
【特許文献１】特開２００５−２８７１６２号公報
【特許文献２】特開２００８−００４５３７号公報
【特許文献３】特開２００１−１９７６５３号公報
【発明の概要】
【発明が解決しようとする課題】
【０００８】
しかしながら、上記の特許文献１で提案した遮断器の管理方法では、遮断器の負荷電流の変化により遮断器への指令信号の入力時から遮断器の動作完了までの時間を測定するため、送電線の各相に設置されている３個の遮断器の遮断時間の不揃いを検出するためには、各相に流れる負荷電流の変化を解析用オシロ装置で測定する必要があるという問題がある。
【０００９】
上記の特許文献２に開示された三相遮断器特性計測装置では、３相遮断器の遮断前後を含む間の３相の充電電流瞬時値から算出した３相の消弧時点に基づいて３相不揃い時間を算出するため、３相の充電電流瞬時値を測定する必要があるという問題がある。
また、３相不揃い時間が３相不揃い管理値未満の場合には、充電電流実効値が充電電流閾値（１６Ａ）以上のときに正常信号を発し、充電電流実効値が充電電流閾値未満の場合には、３相不揃い時間が電流小３相不揃い異常値（４ｍｓ）以上のときに警告信号を発するようにしているため、３相遮断器の１相に流れる１周期分の充電電流瞬時値を用いて充電電流実効値を算出する必要があるという問題がある。
【００１０】
上記の特許文献３に開示された遮断器の動作状態検出装置では、遮断器の不揃い投入または不揃い引き外しを検出することはできるが、３個の遮断器の遮断時間の不揃いを検出することができないという問題がある。
【００１１】
本発明の目的は、平行２回線構成の送電線などの各相に設けられている３個の遮断器の遮断時間の不揃いを解析用オシロ装置で負荷電流を測定することなく検出できる遮断時間不揃い検出装置を提供することにある。
【課題を解決するための手段】
【００１２】
本発明の遮断時間不揃い検出装置は、電力系統の事故発生時の解析を行うための解析用オシロ装置（３０）を用いて、３相送電線（１Ｌ）の第１乃至第３の相にそれぞれ設けられている第１乃至第３の遮断器（２A，２B，２C）の遮断時間の不揃いを検出するための遮断時間不揃い検出装置であって、前記解析用オシロ装置が、前記３相送電線に設置された残留回路（３）に取り付けられたクランプメータ（１０）によって検出された該残留回路を流れる零相電流（Ｉ0）と、所内電源（２０）から入力される該３相送電線の第１乃至第３の相電圧（ＶA，ＶB，ＶC）と、前記第１乃至第３の遮断器を開放するためのトリップ信号（Ｔ）とに基づいて、該第１乃至第３の遮断器の遮断時間の不揃いが生じたか否かを判定する遮断時間不揃い判定手段を備えることを特徴とする。
ここで、前記遮断時間不揃い判定手段が、前記零相電流および前記第１乃至第３の相電圧に基づいて前記第１乃至第３の遮断器のうちのいずれの遮断器が開放されたかを判定するための開放遮断器判定部（３１）と、該開放遮断器判定部の開放遮断器判定結果、前記零相電流および前記トリップ信号に基づいて前記第１乃至第３の遮断器の遮断時間を測定するための遮断時間測定部（３２）と、該遮断時間測定部によって測定された前記第１乃至第３の遮断器の遮断時間に基づいて該第１乃至第３の遮断器の遮断時間に不揃いが生じたか否かを判定するための遮断時間不揃い判定部（３３）とを備えてもよい。
前記開放遮断器判定部が、前記零相電流が発生すると、前記第１乃至第３の相電圧のうち該零相電流の極性と反対の極性の相電圧を検出し、前記第１乃至第３の遮断器のうち該検出した相電圧の相の遮断器が開放したと判定し、該開放したと判定した遮断器である第１の開放相遮断器を示す前記開放遮断器判定結果を前記遮断時間測定部に出力し、前記遮断時間測定部が、前記零相電流が発生した時間を測定し、該測定した時間を前記開放遮断器判定部からの前記開放遮断器判定結果が示す前記第１の開放遮断器の遮断時間としてもよい。
前記開放遮断器判定部が、前記零相電流が発生したのち正弦波形から不連続となり、かつ、該零相電流の波形が前記第１乃至第３の相電圧のいずれか１つの相電圧の波形と同じか相似になると、前記第１乃至第３の遮断器のうち前記第１の開放相遮断器および該零相電流の波形が同じか相似になった相電圧の相以外の相の遮断器が開放したと判定し、該開放したと判定した遮断器である第２の開放相遮断器を示す前記開放遮断器判定結果を前記遮断時間測定部に出力し、前記遮断時間測定部が、前記零相電流が不連続になった時間を測定し、該測定した時間を前記開放遮断器判定部から入力される前記開放遮断器判定結果が示す前記第２の開放相遮断器の遮断時間としてもよい。
前記開放遮断器判定部が、前記零相電流が正弦波形になったのち“０”になると、前記第１乃至第３の遮断器のうち残りの相の遮断器が開放したと判定し、該開放したと判定した遮断器である第３の開放相遮断器を示す前記開放遮断器判定結果を前記遮断時間測定部に出力し、前記遮断時間測定部が、前記零相電流が“０”になった時間を測定し、該測定した時間を前記開放遮断器判定部から入力される前記開放遮断器判定結果が示す前記第３の開放相遮断器の遮断時間としてもよい。
前記解析用オシロ装置が可搬式であってもよい。
【発明の効果】
【００１３】
本発明の遮断時間不揃い検出装置は、零相電流と所内電源から入力される３相送電線の各相電圧とトリップ信号とに基づいて各相の遮断器の遮断時間の不揃いが生じたか否かを判定することができるため、３個の遮断器の遮断時間の不揃いを解析用オシロ装置で負荷電流を測定することなく検出することができるという効果を奏する。
【図面の簡単な説明】
【００１４】
【図１】本発明の一実施例による遮断時間不揃い検出装置の構成について説明するための図である。
【図２】図１に示したオシロ装置３０の特徴部の構成を示すブロック図である。
【図３】図１に示した赤相遮断器２A、白相遮断器２Bおよび青相遮断器２Cをこの順番で開放したときのクランプメータ１０によって検出される零相電流Ｉ0について説明するためのグラフである。
【図４】図２に示した開放遮断器判定部３１、遮断時間測定部３２および遮断時間不揃い判定部３３の動作について説明するための図である。
【発明を実施するための形態】
【００１５】
上記の目的を、解析用オシロ装置を用いて零相電流と所内電源から入力される３相送電線の各相電圧とトリップ信号とに基づいて各相の遮断器の遮断時間の不揃いが生じたか否かを判定することにより実現した。
【実施例１】
【００１６】
以下、本発明の遮断時間不揃い検出装置の実施例について、図１に示すように送電端母線ＢSと受電端母線ＢRとの間に敷設された平行２回線送電線（第１および第２の送電線１Ｌ，２Ｌとからなる。）の第１の送電線１Ｌの受電端側（受電端母線ＢR側）に遮断時間不揃い検出装置を設置した場合を例として、図面を参照して説明する。
【００１７】
本発明の一実施例による遮断時間不揃い検出装置は、現地で可搬式の解析用オシロ装置３０（以下、「オシロ装置３０」と称する。）を用いて、第１の送電線１Ｌの赤相、白相および青相にそれぞれ設けられている赤相、白相および青相遮断器２A，２B，２Cの遮断時間の不揃いを検出するために、オシロ装置３０が、第１の送電線１Ｌの受電端に設置された残留回路３に取り付けられたクランプメータ１０によって検出された残留回路３を流れる零相電流Ｉ0と、受電端側の変電所内に設置された所内電源２０から入力される赤相、白相および青相電圧ＶA，ＶB，ＶCと、赤相、白相および青相遮断器２A，２B，２Cを開放（遮断）するためのトリップ信号Ｔとに基づいて、赤相、白相および青相遮断器２A，２B，２Cの遮断時間の不揃いが生じたか否かを判定する機能を備えることを特徴とする。
【００１８】
そのため、オシロ装置３０は、図２に示すように、零相電流Ｉ0と赤相、白相および青相電圧ＶA，ＶB，ＶCとに基づいて赤相、白相および青相遮断器２A，２B，２Cのうちのいずれの遮断器が開放されたかを判定するための開放遮断器判定部３１と、開放遮断器判定部３１における判定結果（以下、「開放遮断器判定結果」と称する。）、零相電流Ｉ0およびトリップ信号Ｔに基づいて赤相、白相および青相遮断器２A，２B，２Cの遮断時間を測定するための遮断時間測定部３２と、遮断時間測定部３２によって測定された赤相、白相および青相遮断器２A，２B，２Cの遮断時間に基づいて赤相、白相および青相遮断器２A，２B，２Cの遮断時間に不揃いが生じたか否かを判定するための遮断時間不揃い判定部３３とを備える。
【００１９】
次に、オシロ装置３０の開放遮断器判定部３１、遮断時間測定部３２および遮断時間不揃い判定部３３の動作について、トリップ信号Ｔが赤相、白相および青相遮断器２A，２B，２Cに入力されてから、赤相遮断器２A、白相遮断器２Bおよび青相遮断器２Cがこの順番で開放した場合を例として、図３（ａ）〜（ｃ）および図４（ａ）〜（ｃ）を参照して説明する。
なお、赤相、白相および青相負荷電流ＩA，ＩB，ＩCと赤相、白相および青相電圧ＶA，ＶB，ＶCとは、Ｐ−Ｑ値および負荷電流値で大きさおよび位相を合わすことにより波形の大きさおよび電圧・電流位相ずれをオシロ装置３０で予め補正されているものとする。
また、トリップ信号Ｔは、約３サイクル前（−５３ｍｓ）に赤相、白相および青相遮断器２A，２B，２Cに入力されたものとする。
【００２０】
赤相遮断器２Aが開放すると、第１の送電線１Ｌの赤相を流れる赤相負荷電流ＩAが遮断されるため、残留回路３を流れる零相電流Ｉ0は、第１の送電線１Ｌの白相を流れる白相負荷電流ＩBと第１の送電線１Ｌの青相を流れる青相負荷電流ＩCとの合成電流になる。
したがって、たとえばトリップ信号Ｔの入力時点で赤相遮断器２Aが開放動作を開始してから５３ｍｓ後に赤相遮断器２Aが開放した場合には、図３（ａ）に示すようにトリップ信号Ｔの入力時点から５３ｍｓ後に負の値の零相電流Ｉ0が発生したのち、図３（ｂ）に示すように白相負荷電流ＩBと青相負荷電流ＩCとの合成電流と同じ零相電流Ｉ0が残留回路３を流れる。
【００２１】
零相電流Ｉ0が発生すると、開放遮断器判定部３１は、零相電流Ｉ0の極性と赤相、白相および青相電圧ＶA，ＶB，ＶCの極性とを比較して、零相電流Ｉ0の極性と反対の極性の相電圧を検出し、検出した相電圧の相の遮断器が開放したと判定する。
この例では、零相電流Ｉ0が発生した時点では、図４（ａ）に示すように、零相電流Ｉ0の極性が負であり、赤相電圧ＶAの極性が正であり、白相および青相電圧ＶB，ＶCの極性が負であるため、開放遮断器判定部３１は、赤相遮断器２Aが開放したと判定して、この開放遮断器判定結果を遮断時間測定部３２に出力する。
【００２２】
遮断時間測定部３２は、トリップ信号Ｔが入力されると時間測定を開始し、零相電流Ｉ0が発生すると、零相電流Ｉ0が発生した時間を開放遮断器判定部３１から入力される開放遮断器判定結果が示す相の遮断器の遮断時間として、当該相の遮断器の遮断時間を遮断時間不揃い判定部３３に出力する。
この例では、図４（ａ）に示すようにトリップ信号Ｔの入力時点から５３ｍｓ後に零相電流Ｉ0が発生し、また、赤相遮断器２Aが遮断されたとする開放遮断器判定結果が開放遮断器判定部３１から入力されてくるため、遮断時間測定部３２は、赤相遮断器２Aの遮断時間を５３ｍｓとして、赤相遮断器２Aの遮断時間＝５３ｍｓを遮断時間不揃い判定部３３に出力する。
【００２３】
その後、白相遮断器２Bが開放すると、白相負荷電流ＩBが遮断されるため、残留回路３を流れる零相電流Ｉ0は青相負荷電流ＩCになる。
したがって、たとえば赤相遮断器２Aが開放してから１ｍｓ後に白相遮断器２Bが開放した場合には、トリップ信号Ｔの入力時点から５４ｍｓ（＝５３ｍｓ＋１ｍｓ）後には、零相電流Ｉ0は、図３（ｃ）に示すように白相負荷電流ＩBと青相負荷電流ＩCとの合成電流から青相負荷電流ＩCになって残留回路３を流れる。
【００２４】
そこで、零相電流Ｉ0が正弦波形から不連続になったのち、零相電流Ｉ0の波形が赤相、白相および青相電圧ＶA，ＶB，ＶCのいずれか１つの波形と同じか相似になると、開放遮断器判定部３１は、先に開放したと判定した相および零相電流Ｉ0の波形が同じか相似になった相電圧の相以外の相の遮断器が開放したと判定する。
この例では、零相電流Ｉ0は図４（ｂ），（ｃ）に示すように不連続になったのちに青相電圧ＶCの波形と同じになるため、開放遮断器判定部３１は、白相遮断器２Bが開放したと判定して、この開放遮断器判定結果を遮断時間測定部３２に出力する。
【００２５】
遮断時間測定部３２は、零相電流Ｉ0が不連続になった時間を測定し、開放遮断器判定部３１から入力される開放遮断器判定結果が示す相の遮断器の遮断時間として、当該相の遮断器の遮断時間を遮断時間不揃い判定部３３に出力する。
この例では、図４（ｂ）に示すようにトリップ信号Ｔの入力時点から５４ｍｓ後に零相電流Ｉ0が不連続になり、また、白相遮断器２Bが開放したとする開放遮断器判定結果が開放遮断器判定部３１から入力されてくるため、遮断時間測定部３２は、白相遮断器２Bの遮断時間を５４ｍｓとして、白相遮断器２Bの遮断時間＝５４ｍｓを遮断時間不揃い判定部３３に出力する。
【００２６】
その後、青相遮断器２Cが開放すると、青相負荷電流ＩCが遮断されるため、残留回路３を流れる零相電流Ｉ0は“０”になる。
したがって、たとえば赤相遮断器２Aが開放してから３ｍｓ後に青相遮断器２Cが開放した場合には、図３（ｃ）に示すようにトリップ信号Ｔが入力されてから５６ｍｓ（＝５３ｍｓ＋３ｍｓ）後に零相電流Ｉ0は“０”になる。
【００２７】
そこで、零相電流Ｉ0が“０”になると、開放遮断器判定部３１は、残りの相の遮断器が開放したと判定する。
この例では、開放遮断器判定部３１は、青相遮断器２Cが開放したと判定して、この開放遮断器判定結果を遮断時間測定部３２に出力する。
【００２８】
遮断時間測定部３２は、零相電流Ｉ0が“０”になった時間を測定し、開放遮断器判定部３１から入力される開放遮断器判定結果が示す相の遮断器の遮断時間として、当該相の遮断器の遮断時間を遮断時間不揃い判定部３３に出力する。
この例では、図４（ｃ）に示すようにトリップ信号Ｔが入力されてから５６ｍｓ後に零相電流Ｉ0が“０”となり、また、青相遮断器２Cが開放したとする開放遮断器判定結果が開放遮断器判定部３１から入力されてくるため、遮断時間測定部３２は、青相遮断器２Cの遮断時間を５６ｍｓとして、青相遮断器２Cの遮断時間＝５６ｍｓを遮断時間不揃い測定部３３に出力する。
【００２９】
遮断時間不揃い測定部３３は、遮断時間測定部３２から入力される赤相、白相および青相遮断器２A，２B，２Cの遮断時間のうち最も短い遮断時間に対する他の遮断時間の差分を求め、求めた差分が所定の許容値よりも大きいと、赤相、白相および青相遮断器２A，２B，２Cの遮断時間に不揃いが生じたと判定して、その旨を示す遮断時間不揃い判定結果をオシロ装置３０の画面表示部に出力する。
この例では、遮断時間測定部３２から入力される赤相、白相および青相遮断器２A，２B，２Cの遮断時間は５３ｍｓ、５４ｍｓおよび５６ｍｓであり、赤相遮断器２Aの遮断時間＝５３ｍｓが最も短い遮断時間であるため、遮断時間不揃い測定部３３は、白相遮断器２２Bの遮断時間５４ｍｓから赤相遮断器２Aの遮断時間５３ｍｓを引いて、この両者の差分１ｍｓ（＝５４ｍｓ−５３ｍｓ）を求めるとともに、青相遮断器２２Cの遮断時間５６ｍｓから赤相遮断器２Aの遮断時間５３ｍｓを引いて、この両者の差分３ｍｓ（＝５６ｍｓ−５３ｍｓ）を求める。
その結果、たとえば所定の許容値を２ｍｓとすると、赤相遮断器２Aの遮断時間の遮断時間と白相遮断器２Bとの遮断時間との差分１ｍｓは所定の許容値２ｍｓ以下であるため、赤相遮断器２Aと白相遮断器２Bとでは遮断時間の不揃いは生じていないが、赤相遮断器２Aの遮断時間と青相遮断器２Cとの遮断時間との差分３ｍｓは所定の許容値２ｍｓよりも大きいため、赤相遮断器２Aと青相遮断器２Cとでは遮断時間の不揃いが生じていると判定して、赤相、白相および青相遮断器２A，２B，２Cの遮断時間に不揃いが生じている旨を示す遮断時間不揃い判定結果をオシロ装置３０の画面表示部に出力する。
これにより、オシロ装置３０の画面に「赤相、白相および青相遮断器２A，２B，２Cの遮断時間の不揃いが生じている」旨が表示される。
【００３０】
以上の説明では、遮断時間測定部３２は、トリップ信号Ｔが赤相、白相および青相遮断器２A，２B，２Cに入力されたものとして、赤相、白相および青相遮断器２A，２B，２Cの遮断時間をトリップ信号Ｔの入力時点を“０”として測定したが、遮断時間不揃い測定部３３は上述したように赤相、白相および青相遮断器２A，２B，２Cの遮断時間の差分を求めて赤相、白相および青相遮断器２A，２B，２Cの遮断時間の不揃いが生じたか否かを判定するため、たとえば赤相電圧ＶAの零クロス点を“０”として赤相、白相および青相遮断器２A，２B，２Cの遮断時間を測定することにより赤相、白相および青相遮断器２A，２B，２Cの遮断時間の遅れや不揃いが生じたか否かを判定することができる。この場合には、零相電流Ｉ0をトリガーとして測定することでトリップ信号Ｔの入力を省略することができる。
【符号の説明】
【００３１】
１Ｌ，２Ｌ  第１および第２の送電線
２A，２B，２C  赤相、白相および青相遮断器
３  残留回路
１０  クランプメータ
２０  所内電源
３０  オシロ装置
３１  開放遮断器判定部
３２  遮断時間測定部
３３  遮断時間不揃い判定部
ＢS  送電端母線
ＢR  受電端母線
Ｉ0  零相電流
ＩA，ＩB，ＩC  赤相、白相および青相負荷電流
ＶA，ＶB，ＶC  赤相、白相および青相電圧
Ｔ  トリップ信号
【図１】
2013074774.tif 000003
【図２】
2013074774.tif 000004
【図３】
2013074774.tif 000005
【図４】
2013074774.tif 000006